(57)【特許請求の範囲】
【請求項１】
入金された紙幣を一枚ずつ装置本体内の搬送経路に取り込む入金取込部と、前記搬送経路に沿って紙幣を任意に正逆方向へ搬送する搬送機構と、前記入金取込部の下流側の搬送経路上に配置されて搬送される紙幣の真贋、金種を識別する識別装置と、前記搬送経路と接続されて第１の金種に係る第１の紙幣を出入れ自在に収容する還流式の第１の紙幣収納部と、前記搬送経路と接続されて第２の金種に係る第２の紙幣を出入れ自在に収容する還流式の第２の紙幣収納部と、前記第１及び第２の紙幣収納部から送出されてきた各紙幣を積層して装置本体外へ払い出す出金保留部と、前記第１及び前記第２の紙幣収納部から夫々送出されて前記出金保留部に搬送される前記第１の紙幣、及び前記第２の紙幣についての重送の有無、及び金種に係る判別用の情報を得る払出し紙幣用センサと、制御手段と、を少なくとも備えた還流式紙幣処理装置であって、
前記制御手段は、前記第１の紙幣収納部、及び前記第２の紙幣収納部から夫々送出されてくる各紙幣が前記識別装置による識別を完了した紙幣である場合には前記払出し紙幣用センサを用いた金種判別を行わず、前記第１の紙幣収納部、及び前記第２の紙幣収納部から夫々送出されてくる紙幣が前記識別装置による識別を完了していない未識別紙幣である場合には、前記払出し紙幣用センサを用いた金種判別を行うことを特徴とする還流式紙幣処理装置。
【請求項２】
入金された紙幣を一枚ずつ装置本体内の搬送経路に取り込む入金取込部と、前記搬送経路に沿って紙幣を任意に正逆方向へ搬送する搬送機構と、前記入金取込部の下流側の搬送経路上に配置されて搬送される紙幣の真贋、金種を識別する識別装置と、前記搬送経路と接続されて第１の金種に係る第１の紙幣を出入れ自在に収容する還流式の第１の紙幣収納部と、前記搬送経路と接続されて第２の金種に係る第２の紙幣を出入れ自在に収容する還流式の第２の紙幣収納部と、前記第１及び第２の紙幣収納部から送出されてきた各紙幣を積層して装置本体外へ払い出す出金保留部と、前記第１及び前記第２の紙幣収納部から夫々送出されて前記出金保留部に搬送される前記第１の紙幣、及び前記第２の紙幣についての重送の有無、及び金種に係る判別用の情報を得る払出し紙幣用センサと、制御手段と、を少なくとも備えた還流式紙幣処理装置であって、
前記制御手段は、前記第１の紙幣収納部、及び前記第２の紙幣収納部から夫々送出されてくる各紙幣が前記識別装置による識別を完了した紙幣である場合には前記払出し紙幣用センサを用いた金種判別を行わないと共に、
前記制御手段は、前記第１の紙幣収納部と前記第２の紙幣収納部に対して直接紙幣が補充された形跡がある場合には、新たに前記入金取込部から前記識別装置を経て前記第１及び第２の紙幣収納部に夫々収納された紙幣を除き前記未識別紙幣であると判定することを特徴とする還流式紙幣処理装置。
【請求項３】
前記制御手段は、前記第１の紙幣収納部と前記第２の紙幣収納部に対して直接紙幣が補充された形跡がある場合には、新たに前記入金取込部から前記識別装置を経て前記第１及び第２の紙幣収納部に夫々収納された紙幣を除き前記未識別紙幣であると判定することを特徴とする請求項１に記載の還流式紙幣処理装置。
【発明の詳細な説明】
【技術分野】
【０００１】
本発明は例えば貨幣を入出金する機能を備えた各種自動販売機、入出金装置、両替機等の貨幣取扱装置に装備される紙幣処理装置の改良に関し、詳細には金種別に紙幣を収容する還流式紙幣収納部を複数備えた還流式紙幣処理装置において、釣銭として紙幣を払い出す際のリジェクト発生率を低減させて利用者の待ち時間が長期化する不具合を解消するための技術に関するものである。
【背景技術】
【０００２】
投入された紙幣を受け入れる入金機能や、釣り銭や払出し金として紙幣を払い出す出金機能を備えた紙幣処理装置は各種自動販売機、入出金装置、両替機等に装備されており、この紙幣処理装置としては、始業時に準備した紙幣、或いは稼働中に投入された紙幣を金種別に収納しておき、必要に応じて釣銭として払い出すように構成された還流式紙幣処理装置が知られている（特許文献１）。
図２は従来の還流式紙幣処理装置の構成を示す図である。
この還流式紙幣処理装置１００は、入金された紙幣を一枚ずつ装置本体内の搬送経路１０４に給送する入金取込部（挿入口１０２ａ、繰入れ部１０２ｂ）１０２と、搬送経路１０４に沿って紙幣を任意に正逆方向へ搬送するモータ、ソレノイド、ローラ、ベルト、及び分岐ゲート等から成る搬送機構１０６と、入金取込部１０２の直下流側の搬送経路上に配置されて給送されてくる紙幣の真贋、金種を識別する識別装置１０８と、搬送経路１０４と接続されて釣銭として使用する第１の紙幣（例えば、千円紙幣）を出入れ自在に収容する還流式の第１の紙幣収納部１１０と、搬送経路と接続されて釣銭として使用する第２の紙幣（例えば、五千円紙幣）を出入れ自在に収容する還流式の第２の紙幣収納部１１２と、搬送経路１０４と接続されて釣銭として使用しない第３の紙幣（例えば、一万円紙幣）を収容する非還流収納部１１４と、識別装置１０８によって異金種であると判定された紙幣を収容するリジェクト紙幣収容部１１６と、識別装置１０８よりも下流側の搬送経路の所定箇所に配置されて還流される紙幣の重送の有無、長さ、連鎖の有無、及び金種に関する判別用の情報を得る光学センサとしての払出し紙幣用センサ１２０と、第１及び第２の紙幣収納部１１０、１１２から夫々釣銭として繰り出されてきた千円札、及び五千円札を一旦プールし、その後、釣銭として機外に払い出すプール部１２２と、これらを制御する図示しない制御手段と、を有する。
【０００３】
第１及び第２の紙幣収納部１１０、１１２から釣銭用に繰り出されてきた紙幣は、各分岐ゲート１２５の切替動作、及びローラ、ベルトの逆転によって搬送経路１０４を反転ローラ１２５に向けて一旦逆送され、反転ローラ１２５の直上流側に配置された払出し紙幣用センサ１２０を通過することによって紙幣の重送の有無、長さ、連鎖の有無、及び金種についての光学的な判別を受ける。判別を受けた紙幣は搬送機構１０６によって搬送方向を切り換えられて順方向へ搬送され、釣銭に適した紙幣はプール部１２２へ、異金種であると判別された紙幣はリジェクト紙幣収容部１１６へ夫々搬送される。
釣銭として払い出す紙幣について、払出し紙幣用センサ１２０によって改めて重送の有無、長さ、連鎖の有無に加えて、金種についても判別を行う理由は、始業時等に管理者が各紙幣収納部１１０、１１２に釣銭用の紙幣を補充する際に誤った金種をセット、或いは混入させる等の人為的なミスに対処するためである。即ち、第１の紙幣収納部１１０に誤って五千円札をセットしたり、第１の紙幣収納部１１０にセットする千円紙幣束中に五千円が混入している等の人為的ミスは、釣銭としての払い出し時に払出し紙幣用センサ１２０によって金種を判別することによって未然に防止できる。
【０００４】
このため、払出し紙幣用センサ１２０は、重送の有無、紙幣の長さ、紙幣連鎖の有無、及び金種について光学的に簡易に判別できれば十分であり、真贋判定のための膨大な識別情報の収集までは求められないため、感度、検知精度が識別装置１０８よりも低くなっている。一方、識別装置１０８は膨大な識別情報に基づいた高精度な真贋判定までも行う必要があるため、紙幣面の印刷パターンを光学的に検知する手段の他に磁気記録情報を検知する手段を有し、更に各検知手段によるパスライン数も払出し紙幣用センサ１２０に比して多くなっている。従って、識別装置１０８によれば、例えば正しい金種の紙幣に付着した単なる汚れに起因して真贋判定にミスが発生することを回避することができる。一方、払出し紙幣用センサ１２０は感度、検知精度が低い上に、パスライン数が少ないため、付着した汚れに基づいて異金種であると判定して正しい金種の紙幣をリジェクト紙幣であると誤判別することがある。このため、釣銭払出時にリジェクト紙幣の発生頻度が増大し、紙幣処理装置の利用者を長時間待たせる事態が発生し易くなる。
【先行技術文献】
【特許文献】
【０００５】
【特許文献１】特開２００１−２５０１４１公報
【発明の概要】
【発明が解決しようとする課題】
【０００６】
以上のように還流式紙幣収納部を備えた従来の紙幣処理装置においては、紙幣収納部から釣銭用の紙幣を払い出す際に、既に識別装置による高精度な識別を受けている紙幣についても改めて検知精度の低い払出し紙幣用センサによって金種について判別を行っているため、払出し紙幣用センサが単なる汚れを異金種であると判定して正しい金種の紙幣をリジェクトし、そのために利用者の待機時間を長期化して稼働率を低下させる不具合が発生していた。
本発明は上記に鑑みてなされたものであり、還流式紙幣収納部を備えた紙幣処理装置において、釣銭として紙幣を払い出す際のリジェクト発生率を低減させて利用者の待ち時間が長期化する不具合を解消することができる還流式紙幣処理装置を提供することを目的としている。
【課題を解決するための手段】
【０００７】
上記目的を達成するため、請求項１の発明は、入金された紙幣を一枚ずつ装置本体内の搬送経路に取り込む入金取込部と、前記搬送経路に沿って紙幣を任意に正逆方向へ搬送する搬送機構と、前記入金取込部の下流側の搬送経路上に配置されて搬送される紙幣の真贋、金種を識別する識別装置と、前記搬送経路と接続されて第１の金種に係る第１の紙幣を出入れ自在に収容する還流式の第１の紙幣収納部と、前記搬送経路と接続されて第２の金種に係る第２の紙幣を出入れ自在に収容する還流式の第２の紙幣収納部と、前記第１及び第２の紙幣収納部から送出されてきた各紙幣を積層して装置本体外へ払い出す出金保留部と、前記第１及び前記第２の紙幣収納部から夫々送出されて前記出金保留部に搬送される前記第１の紙幣、及び前記第２の紙幣についての重送の有無、及び金種に係る判別用の情報を得る払出し紙幣用センサと、制御手段と、を少なくとも備えた還流式紙幣処理装置であって、前記制御手段は、前記第１の紙幣収納部、及び前記第２の紙幣収納部から夫々送出されてくる各紙幣が前記識別装置による識別を完了した紙幣である場合には前記払出し紙幣用センサを用いた金種判別を行わず、前記第１の紙幣収納部、及び前記第２の紙幣収納部から夫々送出されてくる紙幣が前記識別装置による識別を完了していない未識別紙幣である場合には、前記払出し紙幣用センサを用いた金種判別を行うことを特徴とする。
請求項２の発明は、入金された紙幣を一枚ずつ装置本体内の搬送経路に取り込む入金取込部と、前記搬送経路に沿って紙幣を任意に正逆方向へ搬送する搬送機構と、前記入金取込部の下流側の搬送経路上に配置されて搬送される紙幣の真贋、金種を識別する識別装置と、前記搬送経路と接続されて第１の金種に係る第１の紙幣を出入れ自在に収容する還流式の第１の紙幣収納部と、前記搬送経路と接続されて第２の金種に係る第２の紙幣を出入れ自在に収容する還流式の第２の紙幣収納部と、前記第１及び第２の紙幣収納部から送出されてきた各紙幣を積層して装置本体外へ払い出す出金保留部と、前記第１及び前記第２の紙幣収納部から夫々送出されて前記出金保留部に搬送される前記第１の紙幣、及び前記第２の紙幣についての重送の有無、及び金種に係る判別用の情報を得る払出し紙幣用センサと、制御手段と、を少なくとも備えた還流式紙幣処理装置であって、前記制御手段は、前記第１の紙幣収納部、及び前記第２の紙幣収納部から夫々送出されてくる各紙幣が前記識別装置による識別を完了した紙幣である場合には前記払出し紙幣用センサを用いた金種判別を行わないと共に、前記制御手段は、前記第１の紙幣収納部と前記第２の紙幣収納部に対して直接紙幣が補充された形跡がある場合には、新たに前記入金取込部から前記識別装置を経て前記第１及び第２の紙幣収納部に夫々収納された紙幣を除き前記未識別紙幣であると判定することを特徴とする。
請求項３の発明は、前記制御手段は、前記第１の紙幣収納部と前記第２の紙幣収納部に対して直接紙幣が補充された形跡がある場合には、新たに前記入金取込部から前記識別装置を経て前記第１及び第２の紙幣収納部に夫々収納された紙幣を除き前記未識別紙幣であると判定することを特徴とする。
【発明の効果】
【０００８】
本発明によれば、第１の紙幣収納部、及び第２の紙幣収納部から夫々送出されてくる払出し用の各紙幣が識別装置による識別を完了した紙幣である場合には、払出し紙幣用センサを用いた金種判別を行わない。換言すれば、釣銭として払い出される紙幣が識別装置による識別を受けていない場合、即ち管理者によって補充用に用意された紙幣束が第１及び第２の紙幣収納部に対して直接補充された場合には、当該補充紙幣（未識別紙幣）に対しては払出し紙幣用センサにより得た金種に関する情報を用いて判定を行うことにより、千円紙幣と五千円紙幣とが誤って釣銭として払い出される事態を防止できる。このため、釣銭とした払い出される紙幣のリジェクト発生率を減少させて、利用者の待機時間の長期化を防止できる。
【図面の簡単な説明】
【０００９】
【図１】本発明の一実施形態に係る還流式紙幣処理装置の概略構成図である。
【図２】従来の還流式紙幣処理装置の説明図である。
【発明を実施するための形態】
【００１０】
以下、本発明を図面に示した実施の形態により詳細に説明する。
図１は本発明の一実施形態に係る還流式紙幣処理装置の概略構成図である。
還流式紙幣処理装置１は、例えば食券等の自動販売機（券売機）に装備されて紙幣の受け入れ処理、及び釣銭等としての紙幣の払出し処理を行う機能を有する。
還流式紙幣処理装置１は、還流式の紙幣処理機構２と、この紙幣処理機構２を内部に収容する外装体３と、から概略構成されている。
紙幣処理機構２は、入金された紙幣を一枚ずつ装置本体内の搬送経路１２に給送する入金取込部（挿入口１０ａ、繰入れ部１０ｂ）１０と、搬送経路１２に沿って紙幣を任意に正逆方向へ搬送するローラ１４ａ、ベルト、ゲート１４ｂ、及びこれらを駆動するモータ、ソレノイドから成る搬送機構１４と、入金取込部１０の下流側の搬送経路上に配置されて給送されてくる紙幣の真贋、金種、更には重送の有無、長さ、連鎖の有無等を識別する識別装置１６と、搬送経路１２と連通接続されて釣銭として使用する第１の紙幣（例えば、千円紙幣）を出入れ自在に収容する還流式の第１の紙幣収納部２０と、搬送経路と連通接続されて釣銭として使用する第２の紙幣（例えば、五千円紙幣）を出入れ自在に収容する還流式の第２の紙幣収納部２２と、搬送経路１２と連通接続されて釣銭として使用しない第３の紙幣（例えば、一万円紙幣）を収容する非還流収納部２４と、識別装置１６によって異金種であると判定された紙幣を収容するリジェクト紙幣収容部２６と、識別装置１６よりも下流側の搬送経路の所定箇所に配置されて還流される紙幣の重送の有無、長さ、連鎖の有無、及び金種に関する判別用の情報を得る光学センサとしての払出し紙幣用センサ３０と、第１及び第２の紙幣収納部２０、２２から夫々釣銭として繰り出されてきた千円札、及び五千円札を一旦プールし、その後、釣銭として機外に払い出すプール部（出金保留部）３２と、これらを制御する制御手段４０と、を有する。
【００１１】
第１及び第２の紙幣収納部２０、２２から釣銭用に繰り出されてきた払出し用の紙幣は、分岐ゲート１４ａの切替動作によって搬送経路１２を反転ローラ３５に向けて一旦逆送され、反転ローラ３５の直上流側に配置された払出し紙幣用センサ３０を通過する。払出し用の紙幣が、入金時に識別装置１６による識別を既に受けている場合には、払出し紙幣用センサ３０からの収集情報に基づいた紙幣の重送の有無、長さ、及び連鎖の有無についての光学的な判別を受けるものの、金種についての判別は行われない。判別を受けた紙幣は搬送機構１４によって搬送方向を切り換えられて順方向へ搬送され、釣銭に適した紙幣はプール部３２へ、異金種であると判別されたリジェクト紙幣はリジェクト紙幣収容部２６へ夫々搬送される。
払出し紙幣用センサ３０は、重送の有無、紙幣の長さ、紙幣連鎖の有無、及び金種について光学的に判別できれば十分であり、真贋判定のための識別情報の収集までは求められないため、感度、検知精度が識別装置１６よりも低くなっている。
【００１２】
一方、識別装置１６は識別情報に基づいた高精度な真贋判定までも行う必要があるため、紙幣面の印刷パターンを光学的に検知する手段の他に、磁気記録情報を検知する手段を有し、更に各検知手段によるパスライン数も払出し紙幣用センサ３０に比して多くなっている。従って、識別装置１６によれば、例えば正しい金種の紙幣に付着した単なる汚れに起因して真贋判定にミスが発生することを回避することができる。一方、払出し紙幣用センサ３０は感度、検知精度が低い上に、パスライン数が少ないため、付着した汚れに基づいて異金種であると判定して正しい金種の紙幣をリジェクト紙幣であると誤判別することがある。
本発明の特徴は、制御手段４０が、第１の紙幣収納部２０、及び第２の紙幣収納部２２から夫々送出されてくる払出し用の各紙幣が識別装置による識別を完了した紙幣（入金取込部１０からの投入紙幣）である場合には、払出し紙幣用センサ３０を用いた金種判別を行わないように制御する点にある。
換言すれば、釣銭として払い出される紙幣が識別装置１６による識別を受けていない場合、即ち管理者によって補充用に用意された紙幣束が第１及び第２の紙幣収納部２０、２２に対して直接補充された場合には、当該補充紙幣（未識別紙幣）に対しては払出し紙幣用センサにより得た金種に関する情報を用いて判定を行うことにより、千円紙幣と五千円紙幣とが誤って釣銭として払い出される事態を防止するようにしている。
【００１３】
払出し紙幣用センサ３０が、釣銭として払い出す紙幣について、改めて重送の有無、長さ、連鎖の有無に加えて、金種についても判別を行う理由は、始業時等に管理者が各紙幣収納部２０、２２に釣銭用の紙幣を補充する際に誤った金種をセット、或いは混入させる等の人為的なミスに対処するためである。即ち、第１の紙幣収納部２０に誤って五千円札をセットしたり、第１の紙幣収納部２０にセットする千円紙幣束中に五千円が混入している等の人為的ミスは、釣銭としての払い出し時に払出し紙幣用センサ３０によって金種を判別することによって未然に防止できる。
また、制御手段４０は、第１の紙幣収納部２０と第２の紙幣収納部２２に対して、入金取込部１０を経由せずに直接紙幣が補充された形跡がある場合には、新たに入金取込部１０から識別装置１６を経て第１及び第２の紙幣収納部２０、２２に夫々収納された紙幣を除き、未識別紙幣であると判定する。
入金取込部１０を経由せずに直接紙幣が紙幣収納部に補充された形跡があることは、例えば各紙幣収納部２０、２２内の紙幣収納部を開閉する図示しないドアの開閉履歴を参照して知ることができる。或いは、入金履歴がないのに紙幣収納部内に紙幣が存在することが紙幣収納部内の紙幣検知手段によって検知されている場合に紙幣が補充されたことを判定できる。
【００１４】
このように識別装置１６による識別を受けた経歴がない補充紙幣（未識別紙幣）が紙幣収納部内に収容された状態で還流式紙幣処理装置１が稼動を開始した場合、未識別紙幣上に入金取込部から識別済みの紙幣が堆積された状態となる。この際、制御手段４０は紙幣収納部内の上から何枚目までが識別済みの紙幣であると記憶しておくことにより、識別済み紙幣であるか否かを区別することができる。このため、識別済み紙幣を釣銭として払い出す場合には払い出し紙幣用センサ３０からの情報を用いた紙幣の金種についての判別を行わない。一方、未識別紙幣を釣銭として払い出す場合には、払出し紙幣用センサ３０からの情報を用いて紙幣の金種についての判別を行うことにより、千円紙幣と五千円紙幣を誤払出しする事態の発生を未然に防止する。
上記のように構成、制御したため、釣銭とした払い出される紙幣のリジェクト発生率を減少させて、利用者の待機時間の長期化を防止できる。また、金種を誤って払い出すことを防止できる。
【符号の説明】
【００１５】
１…還流式紙幣処理装置、２…紙幣処理機構、３…外装体、１０…入金取込部、１０ａ…挿入口、１０ｂ…繰入れ部、１４…搬送機構、１４ａ…ローラ、１４ａ…分岐ゲート、１４ｂ…ゲート、１６…識別装置、２０…第１の紙幣収納部、２２…第２の紙幣収納部、２４…非還流収納部、２６…リジェクト紙幣収容部、３０…紙幣用センサ、３２…プール部（出金保留部）、３５…反転ローラ、４０…制御手段
【図１】
0005540401.tif 000002
【図２】
0005540401.tif 000003